(57)【特許請求の範囲】
【請求項１】
立壁を備える筐体と、
前記筐体に配置され、シートに画像を形成する画像形成部と、
前記立壁に上下方向に間隔をおいて配置され、前記画像が形成されたシートが、前記筐体の内部から選択的に排出される、第１排出口および前記第１排出口よりも上方の第２排出口と、
前記立壁の前記第１排出口よりも下方に連設され、前記第１排出口から排出された前記シートが載置される排紙部と、
前記排紙部の前記シートの排出方向下流側に立設され、前記排紙部に排出された前記シートの前記排出方向下流側の端縁に当接可能な規制部材と、
前記排紙部の上方に装着可能であって、前記第２排出口から排出されたシートが載置され、前記立壁に固定される第１固定部と、前記規制部材の上端部に固定される第２固定部と、を備える排紙トレイと、を有し、
前記排紙トレイは、前記排出方向と交差する方向に向かって、前記筐体に装着され、前記第２固定部よりも前記装着方向下流側に配置され、前記規制部材の上端部と前記装着方向において摺擦可能なガイド部を有し、
前記規制部材は、前記立壁に対向して立設される板状部材であって、
前記排紙トレイは、前記ガイド部と前記規制部材の上端部との摺擦によって前記排紙トレイの装着方向にガイドされ、
前記規制部材は、
前記板状部材から突設される突出部と、
前記突出部の下方に間隔をおいて配置され、前記突出部に対向する支持面と、を有し、
前記排紙トレイの前記第２固定部は、
前記ガイド部よりも前記装着方向上流側に配置され、前記規制部材の前記突出部が前記装着方向において挿入される挿入部と、
前記挿入部の下方を画定する壁部であって、前記規制部材の前記突出部と前記支持面との間に挿入され、前記支持面に支持される下方壁と、
前記挿入部よりも前記装着方向上流側に配置され、前記突出部に係合する係合片と、を有することを特徴とする画像形成装置。
【請求項２】
前記係合片は、前記排出方向において、前記突出部に対向して突設され、前記突出部の前記装着方向上流側の壁面に係合することを特徴とする請求項１に記載の画像形成装置。
【請求項３】
前記排紙部は、前記画像形成部の上方において、前記筐体の上面を画定し、
前記立壁は、前記排紙部の一側縁から立設され、
前記排紙部の前記一側縁と交差する他の側縁から立設される側壁を更に有し、
前記排紙トレイは、前記側壁に固定される第３固定部を有することを特徴とする請求項１または２に記載の画像形成装置。
【請求項４】
前記排紙部は、前記排出方向下流側に配置された凹部を備え、
前記規制部材は、前記排紙部から立設され、前記排紙トレイを固定する第１の位置と、前記凹部に収容される第２の位置との間で、状態変更が可能であることを特徴とする請求項１乃至３の何れか１項に記載の画像形成装置。
【請求項５】
前記規制部材は、前記排紙部に対して回動可能な軸支部を備え、前記軸支部を支点とする前記回動によって、前記第１の位置と前記第２の位置との間を移動可能であることを特徴とする請求項４に記載の画像形成装置。
【請求項６】
前記排紙トレイは、
前記排出方向の下流側から前記立壁に向かって、下方に傾斜する傾斜面と、
前記傾斜面の前記装着方向下流側から水平な上端部をもって立設され、前記側壁に対向して配置される側壁対向部と、を有し、
前記第３固定部は、前記側壁対向部において、水平方向に、間隔をおいて配設される複数の突片であって、
前記側壁は、前記複数の突片が挿入される複数の開口部を有することを特徴とする請求項３に記載の画像形成装置。
【請求項７】
前記規制部材は、前記排紙部のうち前記排出方向と交差するシート幅方向の中央部に配置されていることを特徴とする請求項１乃至６の何れか１項に記載の画像形成装置。
【請求項８】
前記筐体は、前記立壁に対して前記排出方向に対向する領域に、他の立壁を備えていないことを特徴とする請求項７に記載の画像形成装置。
【発明の詳細な説明】
【技術分野】
【０００１】
本発明は、シートに画像を形成する画像形成装置に関し、特に、画像が形成されたシートが排出される排紙部と、排紙部の上方に追加して装着される排紙トレイとを備える画像形成装置に関するものである。
【背景技術】
【０００２】
コピー機、プリンター、ファクシミリ或いはこれらの機能を備える複合機といった画像形成装置には、画像形成処理が施されたシートが排出される排紙部が配置される。特に、排紙されたシートが容易に取り出されるという利点から、画像形成装置本体の上面部に、前記排紙部が配置されたものがある。更に、上記の排紙部の上方に、別の排紙トレイが、所定の間隔をおいて配置されることによって、異なる使用者に応じて、前記排紙部を振り分けることが可能となる。
【０００３】
特許文献１には、画像形成部の上方に、画像読取装置が、所定の間隔をおいて配置されるとともに、画像形成部の上面部に、シートが排出される排紙部が配置される技術が開示されている。そして、排紙部と、画像読取装置の下面部との間に、排紙トレイが、追加して装着されることで、複数の排紙部が備えられる。
【先行技術文献】
【特許文献】
【０００４】
【特許文献１】特開２００４−３２３１６３号公報
【発明の概要】
【発明が解決しようとする課題】
【０００５】
特許文献１において、画像形成装置に追加される排紙トレイは、排紙トレイの装着方向と交差するトレイ幅方向の一端側において、排紙トレイから上方または下方に向かって突設されるフック部材を備える。フック部材が、排紙トレイから上方に向かって突設される場合、前記フック部材は、画像読取装置の下面部に装着される。また、フック部材が、排紙トレイから下方に向かって突設される場合、前記フック部材は、画像形成部の上面に形成されたガイド溝に装着される。
【０００６】
上記のように、画像形成装置に追加的に装着される排紙トレイの一端から、上方または下方に向かって、フック部材が突設される場合、装着段階で、フック部材が折れてしまうことがある。また、フック部材が上方に向かって突設される場合、作業者は、画像読取装置の下面部に配置されたフック装着部を確認することが困難となり、装着作業に時間を要することがあった。
【０００７】
本発明は、上記の問題を解決するためになされたものであり、シートが排紙される排紙部の上方に、追加して装着される排紙トレイの装着時の破損を防止するともに、排紙トレイの装着作業を容易に実現可能な画像形成装置を提供することを目的とする。
【課題を解決するための手段】
【０００８】
本発明の一局面に係る画像形成装置は、立壁を備える筐体と、前記筐体に配置され、シートに画像を形成する画像形成部と、前記立壁に上下方向に間隔をおいて配置され、前記画像が形成されたシートが、前記筐体の内部から選択的に排出される、第１排出口および前記第１排出口よりも上方の第２排出口と、前記立壁の前記第１排出口よりも下方に連設され、前記第１排出口から排出された前記シートが載置される排紙部と、前記排紙部の前記シートの排出方向下流側に立設され、前記排紙部に排出された前記シートの前記排出方向下流側の端縁に当接可能な規制部材と、前記排紙部の上方に装着可能であって、前記第２排出口から排出されたシートが載置され、前記立壁に固定される第１固定部と、前記規制部材の上端部に固定される第２固定部と、を備える排紙トレイと、を有し、前記排紙トレイは、前記排出方向と交差する方向に向かって、前記筐体に装着され、前記第２固定部よりも前記装着方向下流側に配置され、前記規制部材の上端部と前記装着方向において摺擦可能なガイド部を有し、前記規制部材は、前記立壁に対向して立設される板状部材であって、前記排紙トレイは、前記ガイド部と前記規制部材の上端部との摺擦によって前記排紙トレイの装着方向にガイドされ、前記規制部材は、前記板状部材から突設される突出部と、前記突出部の下方に間隔をおいて配置され、前記突出部に対向する支持面と、を有し、前記排紙トレイの前記第２固定部は、前記ガイド部よりも前記装着方向上流側に配置され、前記規制部材の前記突出部が前記装着方向において挿入される挿入部と、前記挿入部の下方を画定する壁部であって、前記規制部材の前記突出部と前記支持面との間に挿入され、前記支持面に支持される下方壁と、前記挿入部よりも前記装着方向上流側に配置され、前記突出部に係合する係合片と、を有することを特徴とする。
【０００９】
本構成によれば、筺体の内部には、画像形成部が配置される。また、筺体の外壁を形成する立壁には、第１排出口および第２排出口が配置される。画像形成部において画像が形成されたシートが、第１排出口から排出された場合、前記シートは排紙部に排出される。排紙部のシート排出方向下流側には、規制部材が突設される。規制部材によって、排紙部に排出されるシートの端縁が規制される。この結果、排紙部から前記シートが落下することが抑止される。一方、第２排出口から排出されたシートは、排紙部の上方に装着される排紙トレイに排出される。この結果、筺体には、複数の排紙部を配置することが可能となる。前記排紙トレイは、第１固定部と第２固定部とを備える。第１固定部は、前記立壁に固定される。また、第２固定部は、規制部材の上端部に固定される。このため、規制部材を利用して、排紙トレイを筺体に容易に固定することが可能となる。また、排紙部から突設される規制部材の高さを利用して、排紙トレイを排紙部の上方に配置することができる。このため、排紙トレイから下方に突設され、排紙部に当接する間隔保持部材を配置することがない。したがって、排紙トレイの装着時に、このように突設された間隔保持部材が破損することが抑止される。
【００１１】
また、本構成によれば、排紙トレイの第２固定部よりも、装着方向下流側には、ガイド部が配置される。ガイド部は、規制部材の上端部との間で、装着方向において摺擦可能とされる。このため、組立作業者は、排紙トレイを筺体に装着する際に、まず、ガイド部を規制部材の上端部に当接させ、ガイド部と規制部材の上端部とを摺擦させながら、排紙トレイを装着方向に移動させる。その後、第２固定部と規制部材の上端部とが固定される。このため、ガイド部によって、排紙トレイが装着方向にガイドされ、排紙トレイの筺体への装着が容易に実行される。
【００１２】
上記の構成において、前記規制部材は、前記板状部材から突設される突出部と、前記突出部の下方に間隔をおいて配置され、前記突出部に対向する支持面と、を有し、前記排紙トレイの前記第２固定部は、前記ガイド部よりも前記装着方向上流側に配置され、前記規制部材の前記突出部が前記装着方向において挿入される挿入部と、前記挿入部の下方を画定する壁部であって、前記規制部材の前記突出部と前記支持面との間に挿入され、前記支持面に支持される下方壁と、前記挿入部よりも前記装着方向上流側に配置され、前記突出部に係合する係合片と、を有することが望ましい。
【００１３】
本構成によれば、排紙トレイが、ガイド部と規制部材の上端部との摺擦によって、装着方向にガイドされた後、第２固定部と前記上端部とが固定される。この際、排紙トレイの移動に伴って、規制部材の突出部は、第２固定部の挿入部に挿入される。また、第２固定部の下方壁は、規制部材の突出部と支持面との間に挿入される。そして、第２固定部の下方壁が、規制部材の支持面に支持されることで、排紙トレイの上下方向の位置が規制される。更に、第２固定部の挿入部よりも装着方向上流側に配置された係合片が、規制部材の突出部に係合されることで、排紙トレイの位置が固定される。このため、排紙トレイが、ガイド部と規制部材の上端部との摺擦によって、装着方向にガイドされながら移動されたのち、排紙トレイが、規制部材に固定されることが可能となる。
【００１４】
上記の構成において、前記係合片は、前記排出方向において、前記突出部に対向して突設され、前記突出部の前記装着方向上流側の壁面に係合することが望ましい。
【００１５】
本構成によれば、排紙トレイのうち、第２固定部の挿入部よりも装着方向上流側に配置された係合片が、規制部材の突出部の装着方向上流側の壁面に係合されることで、排紙トレイの位置が固定される。このため、係合片が、突出部の上流側の壁面に到達した段階で、排紙トレイの装着方向の位置が規制される。したがって、排紙トレイの装着方向における移動に連続して、排紙トレイの第２固定部の固定が実現される。
【００１６】
上記の構成において、前記排紙部は、前記画像形成部の上方において、前記筐体の上面を画定し、前記立壁は、前記排紙部の一側縁から立設され、前記排紙部の前記一側縁と交差する他の側縁から立設される側壁を更に有し、前記排紙トレイは、前記側壁に固定される第３固定部を有することが望ましい。
【００１７】
本構成によれば、排紙トレイは、筺体の上面部を構成する排紙部の上方に配置される。そして、排紙トレイは、規制部材および立壁に加え、立壁と交差する側壁に第３固定部によって固定される。このため、排紙トレイの筺体への固定が、強固に実現される。
【００１８】
上記の構成において、前記排紙部は、前記排出方向下流側に配置された凹部を備え、前記規制部材は、前記排紙部から立設され、前記排紙トレイを固定する第１の位置と、前記凹部に収容される第２の位置との間で、状態変更が可能であることが望ましい。
【００１９】
本構成によれば、規制部材は、排紙部から立設される第１の位置と、凹部に収容される第２の位置との間で、状態変更が可能とされる。このため、規制部材が使用されない場合、凹部の中に、規制部材が収容されることが可能となる。
【００２０】
上記の構成において、前記規制部材は、前記排紙部に対して回動可能な軸支部を備え、前記軸支部を支点とする前記回動によって、前記第１の位置と前記第２の位置との間を移動可能であることが望ましい。
【００２１】
本構成によれば、規制部材は、軸支部を支点とする回動によって、第１の位置と第２の位置との間で、移動可能とされる。このため、規制部材の簡易な操作によって、規制部材が、上記の２つの位置の間を移動することが可能となる。
【００２２】
上記の構成において、前記排紙トレイは、前記排出方向の下流側から前記立壁に向かって、下方に傾斜する傾斜面と、前記傾斜面の前記装着方向下流側から水平な上端部をもって立設され、前記側壁に対向して配置される側壁対向部と、を有し、前記第３固定部は、前記側壁対向部において、水平方向に、間隔をおいて配設される複数の突片であって、前記側壁は、前記複数の突片が挿入される複数の開口部を有することが望ましい。
【００２３】
本構成によれば、排紙トレイは、第２排出口が配置される立壁に向かって下方に傾斜する傾斜面を備える。このため、傾斜面の上に、排出されたシートが安定して積載される。一方、排紙トレイと側壁との固定は、水平な上端部を備える側壁対向部に配置された複数の突片と、側壁に配置された複数の開口部と、によって実現される。このため、排紙トレイと側壁との固定が、容易に実現される。
【００２４】
上記の構成において、前記規制部材は、前記排紙部のうち前記排出方向と交差するシート幅方向の中央部に配置されていることが望ましい。
【００２５】
上記の構成において、前記筐体は、前記立壁に対して前記排出方向に対向する領域に、他の立壁を備えていないことが望ましい。
【発明の効果】
【００２６】
本発明によれば、シートが排紙される排紙部の上方に、追加して装着される排紙トレイの装着時の破損を防止するともに、前記装着作業を容易に実現可能な画像形成装置が提供される。特に、排紙部から突設される規制部材を利用して、排紙トレイを筺体に容易に固定することが可能となる。また、規制部材の高さを利用して、排紙トレイを排紙部の上方に配置することができる。
【図面の簡単な説明】
【００２７】
【図１】本発明の一実施形態に係る画像形成装置の斜視図である。
【図２】本発明の一実施形態に係る画像形成装置の斜視図である。
【図３】図１および図２に示される画像形成装置の内部構成を示す断面図である。
【図４】本発明の一実施形態に係る排紙トレイの斜視図である。
【図５】本発明の一実施形態に係る排紙トレイの平面図である。
【図６】本発明の一実施形態に係る画像形成装置の拡大斜視図である。
【図７】本発明の一の実施形態に係る排紙トレイの拡大斜視図である。
【図８】本発明の一実施形態に係るストッパーの拡大斜視図である。
【図９】画像形成装置に排紙トレイが装着される様子を示した斜視図である。
【図１０】画像形成装置に排紙トレイが装着される様子を示した斜視図である。
【図１１】画像形成装置への排紙トレイの接続状態を示した断面図である。
【図１２】画像形成装置への排紙トレイの接続状態を示した断面図である。
【図１３】画像形成装置への排紙トレイの接続状態を示した拡大断面図である。
【図１４】本発明の一実施形態に係る吹出口の配置を示した断面斜視図である。
【図１５】冷却風の流れを示した断面斜視図である。
【発明を実施するための形態】
【００２８】
以下、図面を参照しつつ、本発明の一実施形態について説明する。尚、以下の説明において、「シート」との用語は、コピー用紙、コート紙、ＯＨＰシート、厚紙、葉書、トレーシングペーパや画像形成処理を受ける他のシート材料或いは画像形成処理以外の任意の処理を受けるシート材料を意味する。また、「第１方向下流側」とは、各図で矢印によって示される第１方向の矢先側を意味し、「第１方向上流側」とは、同様に矢の基端側を意味するものとする。
【００２９】
図１および図２は、本発明の一実施形態にしたがう画像形成装置１の斜視図である。図３は、図１および図２に示される画像形成装置１の内部構造を概略的に示す断面図である。図１乃至図３に示される画像形成装置１は、上面排紙型のプリンターであるが、他の実施形態において、複写機、ファクシミリ装置、これらの機能を備える複合機やトナー画像をシートに形成するための他の装置であってもよい。特に、以下の実施形態に係る画像形成装置１の上方に、不図示の読取装置が配置された場合、これらの装置は、いわゆる胴内排紙型の複写機として、機能する。
【００３０】
画像形成装置１には、パーソナルコンピューターなどの画像情報送信装置から送信された画像情報に応じて、シートに画像を形成する。画像形成装置１は、略直方体形状の主筐体２（筺体）を含む。主筐体２は、略直方体形状の下部筐体２１と、下部筐体２１の後側部分からに立設される略直方体形状の後壁部２２（側壁）と、下部筐体２１の右側部分から立設される側壁部２３（立壁）とを含む。下部筐体２１、後壁部２２及び側壁部２３で囲まれる排出空間２４（図３）に印刷処理が施与されたシートが排出される。
【００３１】
側壁部２３の前側に突出する操作部２３１は、例えば、不図示のＬＣＤタッチパネルを含む。操作部２３１は、画像形成処理に関する情報を入力可能に形成される。使用者は、例えば、ＬＣＤタッチパネルを通じて、印刷されるシートの枚数等を入力したり、印刷濃度等を入力したりすることができる。
【００３２】
下部筐体２１には、複数のシートを積載するシートトレイ５００が配設される。シートトレイ５００は、下部筐体２１から前方向に引出可能である。シートトレイ５００内に収容されたシートＰは、下部筐体２１内で上方に送り出され、前記画像情報送信装置や操作部２３１を通じて使用者によって入力された指示に基づき、下部筐体２１内で画像形成処理を施与され、排出空間２４へ排出される。
【００３３】
排出空間２４には、排紙部２１３および排紙トレイ５０が配置される。使用者によって入力された指示、または、予め画像形成装置１において設定された条件に応じて、排紙部２１３および排紙トレイ５０の何れかに、画像形成処理が施されたシートが排紙される。排紙部２１３は、下部筐体２１の上面部に相当する。また、排紙トレイ５０は、主筐体２とは別部材として、排紙部２１３の上方に装着される。排紙トレイ５０の構造については、後記で詳述する。
【００３４】
更に、下部筐体２１の右面には、トレイ２１２（図３）が回動可能に取り付けられる。トレイ２１２が下部筐体２１の右方に突出する位置にあるとき、使用者はトレイ２１２上にシートを載置可能である。トレイ２１２上のシートは、操作部２３１を通じて使用者によって入力された指示に基づき、下部筐体２１内に引き込まれた後、画像形成処理を施与され、排出空間２４へ排出される。トレイ２１２が上方に回動されると、下部筐体２１の右面に凹設された収容空間２０３内にトレイ２１２が収容され、シートを下部筐体２１内に引き込むための供給口を塞ぐ。
【００３５】
下部筐体２１は、シートに画像を形成するための様々な機器を収容する。また、側壁部２３は、画像形成処理が施与されたシートを排出空間２４へ排出するための様々な機器を収容する。
【００３６】
下部筐体２１には、トナーコンテナ９００Ｙ、９００Ｍ、９００Ｃ、９００Ｂｋ、中間転写ユニット９０２、画像形成部９０３、露光ユニット９０４、定着ユニット９７及び排紙ユニット９６、搬送ユニット３が収容される。
【００３７】
画像形成部９０３は、イエロー用トナーコンテナ９００Ｙ、マゼンタ用トナーコンテナ９００Ｍ、シアン用トナーコンテナ９００Ｃ、ブラック用トナーコンテナ９００Ｂｋを含む。これらコンテナの下方には、ＹＭＣＢｋ各色に対応する現像装置１０Ｙ、１０Ｍ、１０Ｃ、１０Ｂｋがそれぞれ配設される。
【００３８】
画像形成部９０３は、各色のトナー像を担持する感光体ドラム１７を含む。感光体ドラム１７として、アモルファスシリコン（ａ−Ｓｉ）系材料を用いた感光体ドラムを用いることができる。各感光体ドラム１７には、トナーコンテナ９００Ｙ、９００Ｍ、９００Ｃ、９００Ｂｋからそれぞれイエロー、マゼンタ、シアン、ブラックのトナーが供給される。
【００３９】
感光体ドラム１７の周囲には、帯電器１６、現像装置１０（１０Ｙ、１０Ｍ、１０Ｃ、１０Ｂｋ）、転写ローラー１９及びクリーニング装置１８が配置される。帯電器１６は、感光体ドラム１７の表面を均一に帯電する。帯電後の感光体ドラム１７の表面は、露光ユニット９０４によって露光され、静電潜像が形成される。露光ユニット９０４は、上述の画像送信装置から送信されたデジタル信号に基づき、レーザ光を照射する。現像装置１０Ｙ、１０Ｍ、１０Ｃ、１０Ｂｋは、それぞれトナーコンテナ９００Ｙ、９００Ｍ、９００Ｃ、９００Ｂｋから供給される各色のトナーを用いて、各々の感光体ドラム１７上に形成された静電潜像を現像（可視像化）する。転写ローラー１９は、中間転写ベルト９２１を挟んで感光体ドラム１７とニップ部を形成し、感光体ドラム１７上のトナー像を中間転写ベルト９２１上に一次転写する。クリーニング装置１８は、トナー像転写後の感光体ドラム１７の周面を清掃する。
【００４０】
各現像装置１０Ｙ、１０Ｍ、１０Ｃ、１０Ｂｋは、現像筐体２０を備える。現像筐体２０の内部には、磁性キャリアとトナーとを有する２成分現像剤が収納される。また、現像筐体２０内には、現像筐体２０の底部近傍に長手方向を軸方向として並列に２本の攪拌ローラー１１、１２が回転可能に配置される。
【００４１】
現像筐体２０の内部底面には、現像剤の循環経路が設定されており、攪拌ローラー１１、１２は循環経路内に配設される。攪拌ローラー１１、１２の間の軸方向には、現像筐体２０の底部から立設された仕切り壁２０１が設けられる。仕切り壁２０１は、循環経路を区画する。仕切り壁２０１の周囲を周回するように、循環経路が形成される。２成分現像剤は、循環経路を攪拌ローラー１１及び１２によって攪拌、搬送されながら帯電される。
【００４２】
２成分現像剤は、攪拌ローラー１１及び１２によって攪拌されつつ現像筐体２０内を循環し、トナーが帯電される。攪拌ローラー１１上の２成分現像剤は、上側に位置する磁気ローラー１４に吸引されて搬送される。吸引された２成分現像剤は、磁気ローラー１４上に磁気ブラシ（図示せず）を形成する。磁気ブラシは、ドクターブレード１３によって層厚規制され、更に上方の現像ローラー１５にトナーを供給する。現像ローラー１５上のトナー層は、磁気ローラー１４と現像ローラー１５との間の電位差によって形成される。トナー層によって感光体ドラム１７上の静電潜像が現像される。
【００４３】
露光ユニット９０４は、光源やポリゴンミラー、反射ミラー、偏向ミラーなどの各種の光学系機器を有し、画像形成部９０３の各々に設けられた感光体ドラム１７の周面に、画像データに基づく光を照射して、静電潜像を形成する。
【００４４】
中間転写ユニット９０２は、中間転写ベルト９２１、駆動ローラー９２２及び従動ローラー９２３を備える。中間転写ベルト９２１上には、複数の感光体ドラム１７からトナー像が重ね塗りされる（一次転写）。重ね塗りされたトナー像は、シートトレイ５００又はトレイ２１２から供給されるシートに二次転写部９８において二次転写される。中間転写ベルト９２１を周回駆動させる駆動ローラー９２２及び従動ローラー９２３は、下部筐体２１によって回転自在に支持される。
【００４５】
定着ユニット９７は、中間転写ユニット９０２から二次転写されたシート上のトナー像に対し、定着処理を施す。定着処理されたカラー画像付のシートは、定着ユニット９７の上部（側壁部２３内）に形成された排紙ユニット９６へ向けて排出される。
【００４６】
排紙ユニット９６は、定着ユニット９７から搬送されたシートを、排出空間２４に排出する。排紙ユニット９６は、排紙弁２５０と、下方排紙口２５１（第１排出口）と、上方排紙口２５２（第２排出口）と、を備える。下方排紙口２５１および上方排紙口２５２は、側壁部２３に上下方向に間隔をおいて配置され、画像が形成されたシートが、側壁部２３の内部から選択的に排出される。上方排紙口２５２は、下方排紙口２５１よりも上方に配置される。前述の排紙部２１３は、下方排紙口２５１よりも下方に位置する。
【００４７】
排紙弁２５０は、側壁部２３に回動可能に支持される。排紙弁２５０は、シートの排出先に応じて、不図示の制御部によって、回動される。排紙弁２５０の右側端部が、図３に示されるように、上方に移動された場合、シートは、定着ユニット９７から、下方排紙口２５１を通って、排紙部２１３に排紙される。一方、排紙弁２５０の右側端部が、図３に示される位置よりも下方に移動された場合、シートは、定着ユニット９７から、上方排紙口２５２を通って、排紙トレイ５０（図１）に排紙される。下方排紙口２５１および上方排紙口２５２には、それぞれ、不図示の排紙ローラーが配置される。
【００４８】
搬送ユニット３は、シートトレイ５００に対向して、下部筐体２１に配設されている。搬送ユニット３は、ピックアップコロ３１０、給紙コロ３２０、搬送ローラー３３０を有する。搬送ユニット３に設けられたピックアップコロ３１０および給紙コロ３２０が回転駆動されることにより、シートトレイ５００内のシート束の最上層のシートが１枚ずつ取り出される。更に、搬送ローラー３３０によって、シート搬送路１３３の下流側へと繰り出され、画像形成部９０３へ導入される。ピックアップコロ３１０、給紙コロ３２０、搬送ローラー３３０は、画像形成部９０３にシートが搬送されるシート搬送路１３３の一部を形成する。
【００４９】
＜排紙トレイ５０の構造について＞
次に、図４から図８を参照して、本実施形態に係る排紙トレイ５０およびその周辺の構造について、詳述する。図４は、本実施形態に係る排紙トレイ５０の斜視図である。図５は、排紙トレイ５０の平面図である。図６は、排紙トレイ５０が装着される画像形成装置の上面部の拡大斜視図である。
【００５０】
図４および図５を参照して、排紙トレイ５０は、前後および左右方向に延伸される略板状部材からなる。排紙トレイ５０は、前後および左右を、トレイ前壁５１、トレイ後壁５２、トレイ左壁５３、トレイ右壁５４によって画定される。排紙トレイ５０の上面には、上方排紙面５０１が配置される。前述のとおり、排紙トレイ５０が主筐体２に装着された際、上方排紙面５０１上に、定着処理が施されたシートが排紙される。
【００５１】
トレイ前壁５１は、排紙トレイ５０の前方縁を画定する薄肉状の壁部であり、第１前壁５１１、第２前壁５１２、第３前壁５１３、第４前壁５１４、第５前壁５１５を備える。第１前壁５１１は、トレイ前壁５１の左端から略中央部まで延設される。第２前壁５１２は、第１前壁５１１の右端から、右方かつ後方に向かって、所定の角度をもって延設される。第３前壁５１３は、第２前壁５１２の右端から、右方に向かって延設される。第４前壁５１４は、第３前壁５１３の右端から、所定の湾曲部を介して、前方に向かって延設される。更に、第５前壁５１５は、第４前壁５１４の前方縁から、所定の湾曲部を介して、右方に向かって延設される。第２前壁５１２、第３前壁５１３、第４前壁５１４によって、排紙トレイ５０の前方には、切欠き部５１Ｒが形成される。切欠き部５１Ｒの右方であって、排紙トレイ５０の前方部分には、トレイ突出部５１Ｓが配置される。切欠き部５１Ｒは、排紙トレイ５０の上に、排紙されたシートを、使用者が下方から掴み易くするために、形成される。
【００５２】
トレイ後壁５２は、トレイ前壁５１の反対側であって、排紙トレイ５０の後方縁を画定する薄肉状の壁部である。トレイ後壁５２の左方部、中央部、右方部には、後固定部５２０（第１後装着片５２１、第２後装着片５２２、第３後装着片５２３）（第３固定部）が、配置される。後固定部５２０の第１後装着片５２１、第２後装着片５２２、第３後装着片５２３は、それぞれ、トレイ後壁５２から後方に向かって突設される突片である。排紙トレイ５０が、主筐体２に装着される際に、これらの装着片は、後壁部２２に固定される。なお、第３後装着片５２３は、上記装着時に、排紙トレイ５０が後壁部２２に固定されるために、３つの突片からなるフック形状を備える。第３後装着片５２３のうちの、中央部の突片は、両端の２つの突片に対してスリットを介して形成されており、上下方向に、弾性変形可能とされる。更に、中央部の突片の先端付近には、上方に向けて突出する突起部が形成されている。
【００５３】
トレイ左壁５３は、排紙トレイ５０の左方縁を画定する薄肉上の壁部である。トレイ左壁５３の前後方向の中央部であって、トレイ左壁５３の内側には、上方凹部５０２および固定凹部５０３が配置される。上方凹部５０２は、上方排紙面５０１の一部が、略正方形形状をもって、下方に凹没して形成される。固定凹部５０３は、上方凹部５０２の左端に連設され、上方凹部５０２よりも前後方向に延設される。固定凹部５０３も、上方排紙面５０１の一部が、下方に凹没されることで形成される。固定凹部５０３の裏側（下側）には、後記の固定部５０Ａが配置される。
【００５４】
トレイ右壁５４は、排紙トレイ５０の右方縁を画定する薄肉状の壁部である。トレイ右壁５４の後方部、中央部、前方部には、右固定部５４０（第１右装着片５４１、第２右装着片５４２、第３右装着片５４３）（第１固定部）が配置される。右固定部５４０の第１右装着片５４１、第２右装着片５４２、第３右装着片５４３は、それぞれ、トレイ右壁５４から右方に突出されるとともに、先端が、後方に向かって屈曲された突片である。排紙トレイ５０が、主筐体２に装着される際に、これらの装着片は、側壁部２３に固定される。
【００５５】
図４を参照して、排紙トレイ５０のトレイ後壁５２には、前後方向に所定の幅をもち、左右方向に延設されるトレイ水平部５０４が配置される。そして、前記トレイ水平部５０４を除いて、排紙トレイ５０の上方排紙面５０１は、トレイ左壁５３側からトレイ右壁５４側に向かって、下方に傾斜した形状を備える。このため、上方排紙面５０１の右側端部と、トレイ水平部５０４の右側端部との間には、図４に示すように、段差が備えられる。
【００５６】
図６を参照して、排紙トレイ５０は、画像形成装置１のうち、後壁部２２の前方であって、側壁部２３の左方に装着される。後壁部２２の前側の側面である後内壁２２１には、後装着部２２５が配置される。後装着部２２５は、後内壁２２１の上端部に、左右方向に沿って延設される。後装着部２２５には、排紙トレイ５０のトレイ後壁５２に配置された３つの装着片が挿入される。後装着部２２５は、後内壁２２１の左方部、中央部、右方部に、それぞれ、第１後装着部２２５Ａ、第２後装着部２２５Ｂ、第３後装着部２２５Ｃを備える。これらの装着部は、後内壁２２１において、後方向に向かって形成された穴部である。第１後装着部２２５Ａ、第２後装着部２２５Ｂ、第３後装着部２２５Ｃに、それぞれ、排紙トレイ５０の第１後装着片５２１、第２後装着片５２２、第３後装着片５２３が挿入される。第３後装着片５２３を第３後装着部２２５Ｃに挿入する際に、中央の突片の突起部が第３後装着部２２５Ｃの内壁に緩衝して弾性変形し、完全に挿入されると、突起部が内壁部を乗り越えて弾性復帰して第３後装着部２２５Ｃと突起部が係合状態になる。
【００５７】
また、画像形成装置１のうち、側壁部２３の左側の側面である右内壁２３２には、右装着部２５５が配置される。前述のとおり、側壁部２３には、定着処理が施されたシートが排出される下方排紙口２５１および上方排紙口２５２が配置される。右装着部２５５は、下方排紙口２５１の上方であって、上方排紙口２５２の下方に配置される。右装着部２５５は、前後方向に沿って、延設される。右装着部２５５は、第１右装着部２５５Ａ、第２右装着部２５５Ｂ、第３右装着部２５５Ｃを備える。これらの装着部は、右内壁２３２から右方向に向かって、かつ、右内壁２３２の内部において、後方向に向かって形成される穴部である。
【００５８】
更に、画像形成装置１の排紙部２１３の左端部には、凹部２１３Ａ（第２凹部）およびストッパー６０（規制部材）が配置される。凹部２１３Ａは、排紙部２１３の前後方向の中央部であって、排紙部２１３の左側端部において、排紙部２１３の一部が、上面視で、略正方形形状に凹没されることで形成される。ストッパー６０は、凹部２１３Ａに収容可能な板状部材である。ストッパー６０は、排紙部２１３のシートの排出方向下流側に立設され、排紙部２１３に排出されたシートの排出方向下流側の端縁に当接可能とされる。ストッパー６０の下端部に配置された不図示の軸部（軸支部）が、凹部２１３Ａの左端部に配置された不図示の孔部に挿通される。この結果、ストッパー６０が、前記軸部を支点に、回動可能に支持される。この結果、ストッパー６０は、排紙部２１３から立設され、前述の排紙トレイ５０を固定する第１の位置と、凹部２１３Ａに収容される第２の位置との間で、状態変更が可能とされる。図６に示されるように、ストッパー６０が、上方に回動された場合、ストッパー６０は、排紙部２１３から上方に向かって突出した姿勢をとる。この際、ストッパー６０は、下方排紙口２５１から排紙部２１３に排紙されたシートが、排紙部２１３の左方から落下することを防止する機能を備える。
【００５９】
なお、ストッパー６０と同じ形状を備え、ストッパー６０よりも僅かに小さく形成された不図示のストッパー部材が、前述の排紙トレイ５０の上方凹部５０２（図４）に配置可能とされる。前記ストッパー部材は、ストッパー６０と同様に、排紙トレイ５０の上方排紙面５０１に排紙されたシートの移動を規制するために、配置される。
【００６０】
本実施形態では、ストッパー６０は、上記のようなシートの脱落を防止する機能に加え、排紙トレイ５０を固定すると共に、排紙トレイ５０が画像形成装置１に装着される際に、排紙トレイ５０の移動をガイドする機能を備える。図７は、排紙トレイ５０のトレイ左壁５３の裏面の一部を拡大した斜視図である。また、図８は、排紙部２１３のストッパー６０の上端部の拡大斜視図である。
【００６１】
図７を参照して、排紙トレイ５０は、上方排紙面５０１の裏面側であって、トレイ左壁５３の内側に、固定部５０Ａ（第２固定部）を備える。固定部５０Ａは、前述のストッパー６０に固定される。固定部５０Ａは、ガイド面５０５と、ガイド突片５０７（下方壁）と、ガイド壁部５０７Ａと、突出板５０６Ａと、係合片５０６と、退避部５０８（ガイド部、第１凹部）と、を備える。なお、排紙トレイ５０の裏面には、図７に示されるように、前後方向および左右方向に延設される複数のリブ５０Ｂが配置される。リブ５０Ｂは、トレイ左壁５３の下端と、面一に配置される。リブ５０Ｂによって、排紙トレイ５０の剛性が向上される。
【００６２】
ガイド面５０５は、前述の固定凹部５０３（図５）の底面の一部に相当する。ガイド面５０５は、トレイ左壁５３の下端よりも、上方に奥まった位置に配置される。ガイド面５０５は、トレイ左壁５３から、内側（右側）に所定の間隔をおいて、前後方向に延設される。ガイド面５０５は、左右方向に僅かな幅をもって、下方に向かって面する壁面である。ガイド壁部５０７Ａは、ガイド面５０５よりも右側に所定の間隔をおいて、配置される。ガイド壁部５０７Ａは、上下方向に所定の高さをもって、前後方向に延設される壁面である。ガイド突片５０７は、ガイド壁部５０７Ａの前後方向の中央部において、ガイド壁部５０７Ａの下端から、左方向に突設される壁部である。ガイド突片５０７は、左右方向に所定の幅をもって、前後方向に延設される。したがって、ガイド突片５０７は、ガイド面５０５よりも下方において、ガイド面５０５と略平行に配置される。ガイド突片５０７は、後記のストッパー６０の支持面６０５に支持される。
【００６３】
突出板５０６Ａは、上下方向において、ガイド面５０５とガイド突片５０７の間に配置される。また、突出板５０６Ａは、左右方向において、ガイド面５０５と、ガイド壁部５０７Ａとの間に配置される。突出板５０６Ａは、ガイド突片５０７よりも前側において、上下方向に所定の幅をもって、前後方向に延設される板部材である。突出板５０６Ａは、後側端部に、固定端５０６Ｂを備える。突出板５０６Ａの前側端部は自由端からなる形状を備える。係合片５０６は、突出板５０６Ａから突設される突片である。係合片５０６は、突出板５０６Ａから、固定端５０６Ｂと突出板５０６Ａの前側端部との間において、左方向に突設される。係合片５０６は、図３において上方から見ると後側から前側にいくに従って突出する傾斜面を備え、係合片５０６の前端は突出板５０６Ａに垂直な面となる形状に形成されている。
【００６４】
なお、ガイド面５０５の後端部と、ガイド壁部５０７Ａの後端部とによって囲まれる空間部には、後固定部５０５Ｂが形成される。また、ガイド面５０５の前後方向の中央部、ガイド壁部５０７Ａおよびガイド突片５０７によって囲まれる空間部に、中央固定部５０５Ａ（挿入部）が形成される。換言すれば、ガイド突片５０７は、中央固定部５０５Ａの下方を画定する。更に、ガイド面５０５の前端部と、突出板５０６Ａとによって囲まれる空間部に、前固定部５０５Ｃが形成される。中央固定部５０５Ａ、後固定部５０５Ｂ、前固定部５０５Ｃは、下記の退避部５０８よりも、排紙トレイ５０の装着方向上流側（前側）に配置される。また、中央固定部５０５Ａ、後固定部５０５Ｂ、前固定部５０５Ｃには、後記のストッパー６０の第１突部６０３から第２突部６０４に及ぶ部分が挿入される。
【００６５】
退避部５０８は、固定部５０Ａよりも後側（排紙トレイ５０が主筐体２に装着される方
向の下流側）において、前記リブ５０Ｂの一部が切りかかれることで形成される。したがって、退避部５０８は、トレイ左壁５３の下端およびリブ５０Ｂの下端よりも、上方に離間した位置に配置される。また、退避部５０８は、ガイド面５０５と面一に配置される。退避部５０８は、後記のストッパー６０のストッパー上端面６０２と摺擦可能とされる。
【００６６】
上記の排紙トレイ５０の固定部５０Ａが、ストッパー６０の上端部に装着される。図８を参照して、ストッパー６０は、ストッパー本体６０１と、ストッパー上端面６０２と、第１突部６０３と、第２突部６０４と、連設面６０２Ａと、支持面６０５と、係合面６０３Ａと、挿入部６０Ａとを備える。
【００６７】
ストッパー本体６０１は、ストッパー６０の本体部分であり、略矩形形状を備える板部材である。ストッパー上端面６０２は、ストッパー６０が、図６に示される姿勢をとった場合の、ストッパー６０の上端縁に相当する。第１突部６０３および第２突部６０４は、ストッパー上端面６０２の右側縁から、右方に突出する突出部である。第１突部６０３および第２突部６０４は、ストッパー上端面６０２の前後方向の中央部から、それぞれ、所定の間隔をおいて、突設される。第１突部６０３および第２突部６０４は、小さな直方体形状を備える。連設面６０２Ａは、第１突部６０３および第２突部６０４の下面を前後方向に連接する。また、第１突部６０３のうち、前側の壁面には、係合面６０３Ａが配置される。また、係合面６０３Ａに対向する面であって、ストッパー６０の前側の壁面の裏面に相当する部分には、内壁面６０Ｂが配置される。係合面６０３Ａと内壁面６０Ｂとの間の空間には、前述の排紙トレイ５０の固定部５０Ａの係合片５０６が係合される。
【００６８】
支持面６０５は、第１突部６０３および第２突部６０４の下方において、左右方向に所定の幅をもって、前後方向に延設される壁面である。支持面６０５は、ストッパー上端面６０２と平行に配置される。第１突部６０３および第２突部６０４の下面および連設面６０２Ａと、支持面６０５との間には、所定の隙間である挿入部６０Ａが形成される。挿入部６０Ａには、前述の固定部５０Ａのガイド突片５０７が挿通される。
【００６９】
＜排紙トレイ５０の取り付けについて＞
次に、図４から図８に加え、図９から図１３を参照して、排紙トレイ５０の画像形成装置１への取り付けについて説明する。図９および図１０は、画像形成装置１に排紙トレイ５０が装着される様子を示した斜視図である。図１１は、排紙トレイ５０のトレイ右壁５４側の接続状態を示した断面図である。図１２は、排紙トレイ５０とストッパー６０との接続状態を示した断面図である。図１２は、ストッパー６０の前後方向の中央部において、排紙トレイ５０およびストッパー６０が切断された状態を示している。図１３は、排紙トレイ５０のトレイ後壁５２側の接続状態を示した拡大断面図である。
【００７０】
図９および図１０を参照して、画像形成装置１の排出空間２４に排紙トレイ５０が挿入される（矢印Ｄ９）。この際、排紙トレイ５０のトレイ後壁５２（図５）が、後内壁２２１に対向して配置される。また、排紙トレイ５０のトレイ右壁５４が、右内壁２３２に対向して配置される。排紙トレイ５０は、シートが下方排紙口２５１および上方排紙口２５２から排出される方向（左方向）と交差する方向（後方向）に向かって、主筐体２に装着される。組立作業者は、排紙トレイ５０の退避部５０８（図７）に、ストッパー６０のストッパー上端面６０２を当接させながら、排紙トレイ５０を後方に移動させることが可能となる。すなわち、退避部５０８が、排紙トレイ５０の後方への移動をガイドする機能を備える。このため、組立作業者は、排紙トレイ５０の左端部を、ストッパー６０に支持させた状態で、排紙トレイ５０の第１右装着片５４１、第２右装着片５４２、第３右装着片５４３（図５）を、右内壁２３２に配置された右装着部２５５（第１右装着部２５５Ａ、第２右装着部２５５Ｂ、第３右装着部２５５Ｃ）（図６）に挿入することが可能となる。第１右装着片５４１、第２右装着片５４２、第３右装着片５４３が、それぞれ、第１右装着部２５５Ａ、第２右装着部２５５Ｂ、第３右装着部２５５Ｃに、挿入された後、更に、排紙トレイ５０が後方に向かって押し込まれる。この結果、第１右装着片５４１、第２右装着片５４２、第３右装着片５４３の屈曲された先端部が、図１１に示されるように、第１右装着部２５５Ａ、第２右装着部２５５Ｂ、第３右装着部２５５Ｃの奥側に挿入される。この結果、排紙トレイ５０のトレイ右壁５４が、右内壁２３２に固定される。
【００７１】
この際、図１３に例示されるように、排紙トレイ５０の第１後装着片５２１、第２後装着片５２２、第３後装着片５２３（図５）が、後内壁２２１の第１後装着部２２５Ａ、第２後装着部２２５Ｂ、第３後装着部２２５Ｃに装着される。特に、３つの突片からなる第３後装着片５２３が、第３後装着部２２５Ｃに装着され、係合されることで、排紙トレイ５０のトレイ後壁５２が、後内壁２２１に固定される。
【００７２】
一方、トレイ後壁５２が、後内壁２２１に装着される段階で、排紙トレイ５０の固定部５０Ａが、ストッパー６０に固定される。すなわち、排紙トレイ５０の退避部５０８（図７）が、ストッパー６０のストッパー上端面６０２（図８）に摺擦されながら、排紙トレイ５０が後方に挿入される。やがて、ストッパー上端面６０２から、右方向に突設される第１突部６０３が、後固定部５０５Ｂに挿通される。
【００７３】
更に、排紙トレイ５０の後方への移動に伴って、第１突部６０３は、中央固定部５０５Ａに挿通される。この際、固定部５０Ａのガイド突片５０７が、ストッパー６０の挿入部６０Ａに挿入される。そして、図１２に示されるように、ガイド突片５０７の下面が、ストッパー６０の支持面６０５によって支持される。更に、排紙トレイ５０が後方に移動されると、第１突部６０３が、前固定部５０５Ｃに挿通される。そして、第１突部６０３が、突出板５０６Ａの前側端部（自由端側）を右方向に押圧しながら移動される。更に、排紙トレイ５０の第３後装着片５２３（図５）が、後内壁２２１の第３後装着部２２５Ｃ（図６）に装着される際に、係合片５０６（図７）が、ストッパー６０の内壁面６０Ｂに対向して配置される。この結果、前後方向に所定の交差を有した状態で、係合片５０６の前端側の垂直面と内壁面６０Ｂとが対向して配置される。一方、係合片５０６から前側の自由端は、ストッパー６０の前側に配置され、係合片５０６と内壁面６０Ｂのロック（係合）を解除する機能を備える。このように、係合片５０６が、内壁面６０Ｂに係合され、固定部５０Ａが、ストッパー６０に固定される。
【００７４】
以上、本実施形態によれば、主筐体２の内部には、画像形成部９０３が配置される。また、主筐体２の外壁を形成する側壁部２３には、下方排紙口２５１および上方排紙口２５２が配置される。画像形成部９０３において画像が形成されたシートが、下方排紙口２５１から排出された場合、前記シートは排紙部２１３に排出される。排紙部２１３のシート排出方向下流側には、ストッパー６０が突設される。ストッパー６０によって、排紙部２１３に排出されるシートの端縁が規制される。この結果、排紙部２１３から前記シートが落下することが抑止される。一方、上方排紙口２５２から排出されたシートは、排紙部２１３の上方に装着される排紙トレイ５０に排出される。この結果、主筐体２には、複数の排紙部を配置することが可能となる。前記排紙トレイ５０は、右固定部５４０と固定部５０Ａとを備える。右固定部５４０は、側壁部２３に固定される。また、固定部５０Ａは、ストッパー６０の上端部に固定される。このため、ストッパー６０を利用して、排紙トレイ５０を主筐体２に容易に固定することが可能となる。また、排紙部２１３から突設されるストッパー６０の高さを利用して、排紙トレイ５０を排紙部２１３の上方に配置することができる。このため、排紙トレイ５０から下方に突設され、排紙部２１３に当接する間隔保持部材を配置することがない。したがって、排紙トレイ５０の装着時に、このように突設された間隔保持部材が破損することが抑止される。また、排紙トレイ５０を主筐体２から取り外す場合は、排紙トレイ５０の突出板５０６Ａの先端部を右方に移動させて、係合片５０６とストッパー６０の内壁面６０Ｂとの係合を解除するとともに、トレイ水平部５０４において後装着片５２３から延設するスリットの間の部分を、下方に押圧して後装着片５２３と第３後装着部２２５Ｃとの係合を解除する。その状態で、排出トレイ６０を前方にスライドさせれば、排紙トレイ５０が、ストッパー６０および右装着部２５５にガイドされ、排紙トレイ５０を容易に取り外すことが可能である。
【００７５】
更に、上記の実施形態によれば、排紙トレイ５０は、上方排紙口２５２からシートが排出される排出方向と交差する方向に向かって、主筐体２に装着される。また、排紙トレイ５０の固定部５０Ａよりも、装着方向下流側の排紙トレイ５０の底部には、退避部５０８が配置される。退避部５０８は、ストッパー６０のストッパー上端面６０２との間で、装着方向において摺擦可能とされる。このため、組立作業者は、排紙トレイ５０を主筐体２に装着する際に、まず、退避部５０８をストッパー上端面６０２に当接させ、退避部５０８とストッパー上端面６０２とを摺擦させながら、排紙トレイ５０を装着方向に移動させる。その後、固定部５０Ａとストッパー６０の上端部とが固定される。このため、退避部５０８によって、排紙トレイ５０が装着方向にガイドされ、排紙トレイ５０の主筐体２への装着が容易に実行される。特に、排紙トレイ５０のリブ５０Ｂの一部が上方に切り欠かれることによって、退避部５０８が構成される。このため、排紙トレイ５０から、退避部５０８が外側に突設されることがない。したがって、排紙トレイ５０の操作性が好適に向上される。
【００７６】
また、上記の実施形態では、排紙トレイ５０が、退避部５０８とストッパー上端面６０２との摺擦によって、装着方向にガイドされた後、固定部５０Ａとストッパー６０とが固定される。この際、排紙トレイ５０の移動に伴って、ストッパー６０の第１突部６０３は、固定部５０Ａの中央固定部５０５Ａに挿入される。また、固定部５０Ａのガイド突片５０７は、ストッパー６０の第１突部６０３および第２突部６０４と支持面６０５との間に挿入される。そして、固定部５０Ａのガイド突片５０７が、ストッパー６０の支持面６０５に支持されることで、排紙トレイ５０の上下方向の位置が規制される。更に、固定部５０Ａの中央固定部５０５Ａよりも装着方向上流側に配置された係合片５０６が、ストッパー６０の内壁面６０Ｂに係合されることで、排紙トレイ５０の位置が固定される。このため、排紙トレイ５０が、退避部５０８とストッパー上端面６０２との摺擦によって、装着方向にガイドされながら移動されたのち、排紙トレイ５０が、ストッパー６０に固定されることが可能となる。
【００７７】
特に、上記の実施形態では、排紙トレイ５０のうち、固定部５０Ａの中央固定部５０５Ａよりも装着方向上流側に配置された係合片５０６が、ストッパー６０の第１突部６０３の装着方向上流側の係合面６０３Ａと内壁面６０Ｂに係合されることで、排紙トレイ５０の位置が固定される。このため、係合片５０６が、第１突部６０３の上流側の壁面である係合面６０３Ａに到達した段階で、排紙トレイ５０の装着方向の位置が規制される。したがって、排紙トレイ５０の装着方向における移動に連続して、排紙トレイ５０の固定部５０Ａの固定が実現される。
【００７８】
更に、上記の実施形態では、排紙部２１３は、画像形成部９０３の上方において、主筐体２（下部筐体２１）の上面を画定する。また、側壁部２３は、排紙部２１３の一側縁から立設される。更に、主筐体２は、排紙部２１３の前記一側縁と交差する他の側縁から立設される後壁部２２を有し、排紙トレイ５０は、後壁部２２に固定される後固定部５２０を有する。このため、排紙トレイ５０の主筐体２への固定が、強固に実現される。
【００７９】
また、上記の実施形態では、ストッパー６０は、排紙部２１３から上方に向かって立設される第１の位置と、凹部２１３Ａに収容される第２の位置との間で、状態変更が可能とされる。このため、ストッパー６０が使用されない場合、凹部２１３Ａの中に、ストッパー６０が収容されることが可能となる。この際、ストッパー６０は、ストッパー６０の下端に配置された不図示の軸支部を支点とする回動によって、第１の位置と第２の位置との間で、移動可能とされる。このため、ストッパー６０の簡易な操作によって、ストッパー６０が、上記の２つの位置の間を移動することが可能となる。
【００８０】
更に、上記の実施形態では、排紙トレイ５０は、上方排紙口２５２が配置される側壁部２３に向かって下方に傾斜する上方排紙面５０１を備える。このため、上方排紙面５０１の上に、排出されたシートが安定して積載される。一方、排紙トレイ５０と後壁部２２との固定は、水平な上端部を備えるトレイ後壁５２に配置された複数の突片（第１後装着片５２１、第２後装着片５２２、第３後装着片５２３）と、主筐体２の後壁部２２に配置された複数の開口部（後装着部２２５）と、によって実現される。このため、排紙トレイ５０と後壁部２２との固定が、容易に実現される。
【００８１】
＜排出空間２４の冷却について＞
更に、本実施形態に係る排紙トレイ５０は、画像形成装置１に装着されることで、排出空間２４に排紙されたシートの冷却効果を高める機能を備える。図１４は、本実施形態に係る冷却手段を説明するために、右内壁２３２に配置された吹出口８０５を示した断面斜視図である。図１４は、画像形成装置１を、上下および左右方向の断面にて切断した図である。また、図１５は、シートを冷却する冷却風の流れを示した断面斜視図である。
【００８２】
図１４を参照して、画像形成装置１は、側壁部２３の右内壁２３２の周辺に、第１突出壁２３４と、第２突出壁２３５と、吸気口２３６と、吹出口８０５（吹出し口）と、シロッコファン８０６（空気流発生手段）と、流入口８００（再吸気口）（図１５）と、を備える。また、右内壁２３２のうち、前述の下方排紙口２５１と、排紙部２１３との間には、排出内壁面２３２Ａが配置される。排出内壁面２３２Ａの上端側には、下方排紙口２５１配置され、排出内壁面２３２Ａの下端は、排紙部２１３に連設される。また、下方排紙口２５１の直上に、排紙トレイ５０が装着され、排紙トレイ５０は、排紙部２１３に対向して配置される。
【００８３】
第１突出壁２３４は、排出内壁面２３２Ａの前側において、排出内壁面２３２Ａから、左方向に突出する壁部である。また、第２突出壁２３５は、第１突出壁２３４よりも上方において、第１突出壁２３４よりも左方向に、突設される壁部である。第２突出壁２３５は、排紙部２１３から見て、排紙トレイ５０と略同一の高さに配置される。
【００８４】
吸気口２３６は、第２突出壁２３５よりも、前側であって、右内壁２３２の下方部分に配置される。吸気口２３６は、右内壁２３２の壁面に開口された複数の開口部である。
【００８５】
吹出口８０５は、第２突出壁２３５の基端部（右側端部）に形成された開口部であり（図１４の破線Ｚで囲む部分を参照）、第２突出壁２３５において、後方向に向かって開口される。
【００８６】
シロッコファン８０６は、右内壁２３２の下方部分の内側であって、第１突出壁２３４および第２突出壁２３５の内側に配置される。シロッコファン８０６は、不図示の回転ファンおよび隔壁を備える。前記回転ファンが回転駆動されると、吸気口２３６から右内壁２３２の内部に、空気流がもたらされる。そして、前記空気流は、右内壁２３２の内部において、前記隔壁によって方向を変え、図１４の矢印Ｄ１４および図１５の矢印Ｄ１５で示すように、吹出口８０５から後方に向かって、吹き出される。
【００８７】
流入口８００は、後内壁２２１の排紙トレイ５０よりも下方部分であって、排出内壁面２３２Ａおよび排紙部２１３によって形成される楔形状の空間の側方に形成される（図６参照）。流入口８００は、後内壁２２１の内部に向かって開口される複数の孔部である。
流入口８００は、吹出口８０５から排気された空気を再吸気する機能を備える。
【００８８】
図１５に示すように、吹出口８０５から吹き出された空気流は、排紙トレイ５０の上方排紙面５０１と、排紙部２１３との間を流れながら、流入口８００（図６参照）から、後壁部２２の内部に流入される。後壁部２２の内部に流入された前記空気流は、不図示の排気口から画像形成装置１の外部に排気される。
【００８９】
このように、本実施形態によれば、吹出口８０５から吹き出される空気流の風路の上側を、排紙トレイ５０が画定する。また、前記風路の下側を排紙部２１３が画定する。このため、前記空気流は、排紙トレイ５０の上方排紙面５０１を冷却するとともに、排紙部２１３を冷却する。このため、定着ユニット９７において定着処理が施された後、下方排紙口２５１または上方排紙口２５２から排出されたシートの温度が低下していない場合であっても、前記空気流によって、シートが冷却される。この結果、定着ユニット９７を通過した一のシート上において、固化しきれていないトナーが、前記シートの上方に積載される他のシートの裏面に溶着すること（オフセット）が抑止される。
【００９０】
また、本実施形態では、図５に示されるように、排紙トレイ５０には、使用者が、上方排紙面５０１上に排紙されたシートを下方から掴みやすくするために、切欠き部５１Ｒが形成される。切欠き部５１Ｒは、トレイ右壁５４に連通されることなく、切欠き部５１Ｒの右側には、上方排紙面５０１が前方に突出されることで、トレイ突出部５１Ｓが形成される。そして、トレイ突出部５１Ｓは、図１４に示されるように、吹出口８０５の左側部分の上方を覆うように配置される。このため、吹出口８０５から吹き出された空気流が、後方向に向かって安定して流れ、排紙部２１３に排紙されたシートの冷却効果が向上される。
【００９１】
なお、本発明はこれらの実施形態に限定されるものではなく、例えば次のような変形実施形態を採用することができる。
【００９２】
（１）上記の実施形態では、排紙トレイ５０が、後壁部２２および側壁部２３に固定されるにあたり、排紙トレイ５０には、複数の突片（第１後装着片５２１、第２後装着片５２２、第３後装着片５２３、第１右装着片５４１、第２右装着片５４２、第３右装着片５４３）が配置された。また、後壁部２２および側壁部２３には、複数の開口部として、後装着部２２５および右装着部２５５が配置された。本発明は、これに限定されるものではない。排紙トレイ５０のトレイ後壁５２およびトレイ右壁５４に、複数の開口部が形成され、後壁部２２および側壁部２３から複数の突片が突設されてもよい。
【００９３】
（２）上記の実施形態では、排紙トレイ５０の下面に、退避部５０８が配置されるにあたり、退避部５０８は、リブ５０Ｂの一部が切欠かれることで形成される態様にて説明した。本発明は、これに限定されるものではない。すなわち、排紙トレイ５０の下面は、平面からなるものであり、退避部５０８は、前記平面の一部が凹没された凹部であってもよい。
【符号の説明】
【００９４】
１  画像形成装置
２  主筐体（筺体）
２０３  収容空間
２１  下部筐体
２１３  排紙部
２１３Ａ  凹部（第２凹部）
２２  後壁部（側壁）
２２１  後内壁
２２５  後装着部
２２５Ａ  第１後装着部
２２５Ｂ  第２後装着部
２２５Ｃ  第３後装着部
２３  側壁部（立壁）
２３１  操作部
２３２  右内壁
２３２Ａ  排出内壁面
２３４  第１突出壁
２３５  第２突出壁
２３６  吸気口
２４  排出空間
２５０  排紙弁
２５１  下方排紙口（第１排出口）
２５２  上方排紙口（第２排出口）
２５５  右装着部
２５５Ａ  第１右装着部
２５５Ｂ  第２右装着部
２５５Ｃ  第３右装着部
５０  排紙トレイ
５００  シートトレイ
５０Ａ  固定部（第２固定部）
５０１  上方排紙面（傾斜面）
５０２  上方凹部
５０３  固定凹部
５０４  トレイ水平部（側壁対向部）
５０５  ガイド面
５０５Ａ  中央固定部（挿入部）
５０５Ｂ  後固定部
５０５Ｃ  前固定部
５０６  係合片
５０７  ガイド突片（下方壁）
５０７Ａ  ガイド壁部
５０８  退避部（ガイド部、第１凹部）
５１  トレイ前壁
５１Ｒ  切欠き部
５１Ｓ  トレイ突起部
５１１  第１前壁
５１２  第２前壁
５１３  第３前壁
５１４  第４前壁
５１５  第５前壁
５２  トレイ後壁
５２０  後固定部（第３固定部）
５２１  第１後装着片
５２２  第２後装着片
５２３  第３後装着片
５３  トレイ左壁
５４  トレイ右壁
５４０  右固定部（第１固定部）
５４１  第１右装着片
５４２  第２右装着片
５４３  第３右装着片
６０  ストッパー（規制部材）
６０Ａ  挿入部
６０１  ストッパー本体
６０２  ストッパー上端面
６０３  第１突部（突出部）
６０３Ａ  係合面（壁面）
６０４  第２突部（突出部）
６０５  支持面
８００  流入口（再吸気口）
８０５  吹出口（吹出し口）
８０６  シロッコファン（空気流発生手段）
【図３】
0005873920.tif 000002
【図４】
0005873920.tif 000003
【図５】
0005873920.tif 000004
【図７】
0005873920.tif 000005
【図８】
0005873920.tif 000006
【図１１】
0005873920.tif 000007
【図１２】
0005873920.tif 000008
【図１３】
0005873920.tif 000009
【図１】
0005873920.tif 000010
【図２】
0005873920.tif 000011
【図６】
0005873920.tif 000012
【図９】
0005873920.tif 000013
【図１０】
0005873920.tif 000014
【図１４】
0005873920.tif 000015
【図１５】
0005873920.tif 000016